(57)【特許請求の範囲】
【請求項１】
第１のコンテンツを処理する第１のユニットと、上記第１のユニットから制御を受け付ける第２のユニットとを備えた表示装置であって、
上記第１のユニットは、
上記第２のユニットの機能を表した表示情報を生成する生成手段と、
合成コンテンツを生成する合成手段と、
画面上に上記合成コンテンツを表示する表示手段と、
表示された上記表示情報に対する、ユーザの選択を受け付ける入力手段と、
選択された上記表示情報に対応する制御情報を、上記第２のユニットに送信する制御情報送信手段とを備え、
上記第２のユニットは、
上記第１のユニットから送信された上記制御情報を受信する制御情報受信手段と、
受信された上記制御情報に基づき、上記第２のユニットにおける動作を制御する制御手段と、
上記制御手段による制御に応じて、ソフトウェアアプリケーションの実行によって生成されるコンテンツを、第２のコンテンツとして取得する第２のコンテンツ取得手段と、
取得された上記第２のコンテンツを上記第１のユニットに送信するコンテンツ送信手段とを備え、
上記第１のユニットは、
上記コンテンツ送信手段から送信された上記第２のコンテンツを受信するコンテンツ受信手段をさらに備え、
上記合成手段は、上記第１のコンテンツ、上記第２のコンテンツ、および上記表示情報を合成することにより上記合成コンテンツを生成することを特徴とする表示装置。
【請求項２】
上記入力手段は、上記画面上の任意の位置を選択するための選択用オブジェクトが上記表示情報の表示位置に移動したとき、当該表示情報への上記ユーザによる入力を受け付けることを特徴とする請求項１に記載の表示装置。
【請求項３】
上記合成手段は、上記合成コンテンツを生成するとき、上記第１のコンテンツを上記画面と同一のアスペクト比になるように合成することを特徴とする請求項１または２に記載の表示装置。
【請求項４】
上記第１のユニットは、
放送波、通信ネットワーク、外部記憶装置、内部記憶装置および記録メディアの少なくともいずれかを通じて、上記第１のコンテンツを取得する第１のコンテンツ取得手段をさらに備えていることを特徴とする請求項１〜３のいずれか１項に記載の表示装置。
【請求項５】
上記第１のユニットは、
上記放送波を受信する放送波受信手段をさらに備え、
上記第１のコンテンツ取得手段は、受信された上記放送波をデコードして上記第１のコンテンツを取得することを特徴とする請求項４に記載の表示装置。
【請求項６】
上記第２のコンテンツ取得手段は、さらに、通信ネットワーク、外部記憶装置、内部記憶装置および記録メディアの少なくともいずれかを通じて、上記第２のコンテンツを取得することを特徴とする請求項１〜５のいずれか１項に記載の表示装置。
【請求項７】
上記制御情報は、上記通信ネットワーク内の上記外部記憶装置における上記第２のコンテンツへのアクセス情報を含んでおり、
上記第２のコンテンツ取得手段は、上記アクセス情報に基づき上記第２のコンテンツを上記外部記憶装置から取得することを特徴とする請求項６に記載の表示装置。
【請求項８】
上記第２のユニットは、上記第１のユニットから着脱可能であることを特徴とする請求項１〜７のいずれか１項に記載の表示装置。
【請求項９】
上記第２のユニットは、上記第１のユニットの筐体本体に内蔵されていることを特徴とする請求項１〜８のいずれか１項に記載の表示装置。
【請求項１０】
上記表示手段は、上記合成コンテンツを液晶ディスプレイ、プラズマディスプレイまたはＥＬ（エレクトロルミネセンス）ディスプレイに表示させることを特徴とする請求項１〜９のいずれか１項に記載の表示装置。
【請求項１１】
請求項１〜１０のいずれか１項に記載の表示装置を動作させるためのプログラムであって、コンピュータを上記の各手段として機能させるためのプログラム。
【請求項１２】
請求項１１に記載のプログラムを記録しているコンピュータ読み取り可能な記録媒体。
【発明の詳細な説明】
【技術分野】
【０００１】
本発明は、複数のユニットによって構成される表示装置、プログラムおよび記録媒体に関する。
【背景技術】
【０００２】
近年、インターネットと映像機器とを融合する技術の開発が進んでいる。その一例として、たとえばチューナー付きＰＣ（personal computer）またはインターネットテレビ等が挙げられ、ＰＣ映像をテレビに表示させる技術もある。
【０００３】
また、放送番組を視聴しながら、同一画面上で別の映像を見たいという要望が、視聴者の間に高まっている。これを背景に、子画面を用いて放送番組以外の他の映像を表示する技術が色々と提案されている。
【０００４】
たとえば特許文献１には、テレビ画面とインターネットに接続して得られたブラウザ画面を同時にディスプレイに表示する映像表示装置が開示されている。
【０００５】
特許文献２には、デジタル放送を高解像度で短時間に視聴するとともに、ユーザのＴＶ／ＰＣ機能をシームレスに選択できるテレビ機能付きパーソナルコンピュータが開示されている。
【０００６】
特許文献３には、ＰＣの負荷を増加することなくテレビや録画番組の視聴ができ、ＰＣ作業中にＰＣモニタ上の任意の位置にオーバーレイ表示によるテレビ画像を小画面表示することができるとともに、作業域とテレビのオーバーレイ領域が重なり操作性が悪くなった場合にも、作業域を任意の位置へ移動させ、かつ任意の大きさに変更することができ、操作性を大幅に改善することができる画像処理装置が開示されている。
【０００７】
また、特許文献４には、テレビジョン受像機と録画装置とが接続され、テレビジョン受像機を利用中のユーザが、録画装置によって検出された録画候補の番組（たとえば録画の予約漏れと考えられる番組）について、その情報の確認および録画指示をテレビ画面上で行なうことができる録画システムが開示されている。
【先行技術文献】
【特許文献】
【０００８】
【特許文献１】特開２００８−７９０７７号公報（２００８年４月３日公開）
【特許文献２】特開２００６−３１０８９６号公報（２００６年１１月９日公開）
【特許文献３】特開２００７−３１１９５８号公報（２００７年１１月２９日公開）
【特許文献４】特開２００８−０７２２２２号公報（２００８年３月２７日公開）
【発明の概要】
【発明が解決しようとする課題】
【０００９】
しかしながら、上述した従来技術では、ユーザの使い勝手の点で十分とは言えない。
【００１０】
たとえばチューナー付きＰＣでは、ＰＣを操作することによってテレビ映像を表示させる。そのため、ユーザがＰＣの基本操作をできることが前提であり、ＰＣに精通しないユーザにとっては使用しづらい。ＰＣ映像をテレビに表示させる技術についても同様に操作が容易ではないという課題がある。
【００１１】
一方、インターネットＴＶでは、ユーザがテレビリモコン等による簡単な操作によって、インターネットを利用する。しかしながら、キーボード等によって操作する一般的なＰＣと比べて、リモコンではＰＣの操作性が劣る。また、ＰＣの操作性を上げるための対策として、リモコンの各ボタンに好みのサイトを登録することも考えられるが、この場合膨大な数のボタンを用意しておく必要があり、現実的ではない。その結果、インターネットＴＶでは、好きなサイトの指定、またはサイト内を自由に閲覧し難いという課題がある。
【００１２】
また、特許文献４の技術では、テレビ画面上に録画装置の操作画面が表示されるとき、当該操作画面はテレビ映像と重複して表示される。そのため、録画装置を操作するために操作画面を表示すると、画面上に表示されるテレビ映像が操作画面によって妨げられ、完全なテレビ映像を見ることができない。
【００１３】
本発明は、上記の課題に鑑みてなされたものであり、その目的は、表示装置内の機能に関する情報を表示させた場合であっても、ユーザによる映像の視聴に支障を来たすことのない表示装置、プログラムおよび記録媒体を提供することにある。
【課題を解決するための手段】
【００１４】
上記の課題を解決するために、本発明の表示装置は、第１のコンテンツを処理する第１のユニットと、上記第１のユニットから制御を受け付ける第２のユニットとを備えた表示装置であって、上記第１のユニットは、上記第２のユニットの機能を表した表示情報を生成する生成手段と、合成コンテンツを生成する合成手段と、画面上に上記合成コンテンツを表示する表示手段と、表示された上記表示情報に対する、ユーザの選択を受け付ける入力手段と、選択された上記表示情報に対応する制御情報を、上記第２のユニットに送信する制御情報送信手段とを備え、記第２のユニットは、上記第１のユニットから送信された上記制御情報を受信する制御情報受信手段と、受信された上記制御情報に基づき、上記第２のユニットにおける動作を制御する制御手段と、上記制御手段による制御に応じて生成されるコンテンツを、第２のコンテンツとして取得する第２のコンテンツ取得手段と、取得された上記第２のコンテンツを上記第１のユニットに送信するコンテンツ送信手段とを備え、上記第１のユニットは、上記コンテンツ送信手段から送信された上記第２のコンテンツを受信するコンテンツ受信手段をさらに備え、上記合成手段は、上記第１のコンテンツ、上記第２のコンテンツ、および上記表示情報を合成することにより上記合成コンテンツを生成することを特徴としている。
【００１５】
上記の表示装置において、上記入力手段は、上記画面上の任意の位置を選択するための選択用オブジェクトが上記表示情報の表示位置に移動したとき、当該表示情報への上記ユーザによる入力を受け付ける構成としてもよい。
【００１６】
上記の表示装置において、上記合成手段は、上記第２の合成コンテンツを生成するとき、上記第１のコンテンツを上記画面と同一のアスペクト比になるように合成する構成としてもよい。
【００１７】
上記の表示装置において、上記第１のユニットは、放送波、通信ネットワーク、外部記憶装置、内部記憶装置および記録メディアの少なくともいずれかを通じて、上記第１のコンテンツを取得する第１のコンテンツ取得手段をさらに備えている構成としてもよい。
【００１８】
上記の表示装置において、上記第１のユニットは、上記放送波を受信する放送波受信手段をさらに備え、上記第１のコンテンツ取得手段は、受信された上記放送波をデコードして上記第１のコンテンツを取得する構成としてもよい。
【００１９】
上記の表示装置において、上記第２のコンテンツ取得手段は、さらに、通信ネットワーク、外部記憶装置、内部記憶装置および記録メディアの少なくともいずれかを通じて、上記第２のコンテンツを取得する構成としてもよい。
【００２０】
上記の表示装置において、上記制御情報は、上記通信ネットワーク内の上記外部記憶装置における上記第２のコンテンツへのアクセス情報を含んでおり、上記第２のコンテンツ取得手段は、上記アクセス情報に基づき上記第２のコンテンツを上記外部記憶装置から取得する構成としてもよい。
【００２１】
上記の表示装置において、上記第２のユニットは、上記第１のユニットから着脱可能である構成としてもよい。
【００２２】
上記の表示装置において、上記第２のユニットは、上記第１のユニットの筐体本体に内蔵されている構成としてもよい。
【００２３】
上記の表示装置において、上記表示手段は、上記第１の合成コンテンツおよび第２の合成コンテンツを液晶ディスプレイ、プラズマディスプレイまたはＥＬ（エレクトロルミネセンス）ディスプレイに表示させる構成としてもよい。
【発明の効果】
【００２４】
以上のように、本発明に係る表示装置は、第１のコンテンツを処理する第１のユニットと、上記第１のユニットから制御を受け付ける第２のユニットとを備えた表示装置であって、上記第１のユニットは、上記第２のユニットの機能を表す表示情報を生成する生成手段と、上記第１のコンテンツおよび上記表示情報を、それぞれが画面上の異なる領域に配置されるように合成することによって、合成コンテンツを生成する合成手段と、上記画面上に上記合成コンテンツを表示する表示手段と、表示された上記表示情報に対する、ユーザの選択を受け付ける入力手段と、選択された上記表示情報に対応する制御情報を、上記第２のユニットに送信する制御情報送信手段とを備え、上記第２のユニットは、上記第１のユニットから送信された上記制御情報を受信する制御情報受信手段と、受信された上記制御情報に基づき、上記第２のユニットにおける動作を制御する制御手段とを備える。したがって、表示装置内の機能に関する情報を表示させた場合であっても、ユーザによる映像の視聴に支障を来たすことのない表示装置を提供できる。
【図面の簡単な説明】
【００２５】
【図１】本発明の一実施形態に係るＰＣ内蔵テレビの要部構成を示すブロック図である。
【図２】図２の（ａ）は、本発明の一実施形態に係るＰＣ内蔵テレビを表示画面側から見た場合の外観を示す図であり、図２の（ｂ）は、ＰＣ内蔵テレビを上から見た場合の外観を示す図である。
【図３】本発明の一実施形態に係るＰＣ内蔵テレビの詳細な内部構成を示すブロック図である。
【図４】図４の（ａ）は、リモコンを使用してＰＣ内蔵テレビを操作する際の信号伝達の流れを図であり、図４の（ｂ）は、入力装置（キーボードまたはマウス）を使用してＰＣ内蔵テレビを操作する際の信号伝達の流れを図である。
【図５】ＰＣ内蔵テレビにおける映像合成の流れの一例を示す図である。
【図６】ディスプレイに表示される画面の各例を示す図である。
【図７】ＰＣ内蔵テレビが、ＰＣ機能メニューの選択に応じてＰＣ子画面の表示を切り換える様子の一例を示す図である。
【図８】ＰＣ内蔵テレビが、ＰＣ機能メニューを示す情報の選択結果に応じて、ＰＣ子画面を表示したりＰＣ子画面の表示位置を変更したりする様子の一例を示す図である。
【図９】本発明のＰＣ内蔵テレビにおいてＴＶ全画面およびＰＣ子画面を表示する際の情報処理の流れの一例を示すシーケンス図である。
【図１０】図９に示すシーケンス処理によってディスプレイに表示される画面の一例を示す図である。
【図１１】図１１の（ａ）は、着脱可能なＰＣユニットがＴＶユニットに装着された後のＰＣ内蔵テレビを表示画面側から見た場合の外観を示す図であり、図１１の（ｂ）は、着脱可能なＰＣユニットがＴＶユニットに装着される前のＰＣ内蔵テレビを背面側から見た場合の外観を示す図である。
【図１２】本発明の他の実施形態に係るＰＣ内蔵テレビの要部構成を示すブロック図である。
【図１３】着脱可能なＢＤユニットがＴＶユニットに装着された後のＢＤ内蔵テレビの外観例を示す図である。
【発明を実施するための形態】
【００２６】
本発明に係る表示装置の一実施形態について、図１〜図１０に基づいて説明すると以下の通りである。なお、以下に示す実施形態では、表示装置がＰＣ内蔵テレビ１である場合を例に説明するが、本発明はこれに限定されるものではない。
【００２７】
（ＰＣ内蔵テレビ１の外観）
まず、ＰＣ内蔵テレビ（表示装置）１の外観について、図２を参照して以下に説明する。図２の（ａ）は、本発明の一実施形態に係るＰＣ内蔵テレビ１を表示画面側から見た場合の外観を示す図である。図２の（ｂ）は、ＰＣ内蔵テレビ１を横（ＰＣユニット２０の設置側）から見た場合の外観を示す図である。
【００２８】
図２の（ａ）および（ｂ）に示すように、ＰＣ内蔵テレビ１は、ＴＶユニット（第１のユニット）１０にＰＣユニット（第２のユニット）２０が設けられた構成の装置である。本実施形態のＴＶユニット１０は、液晶テレビジョン装置としての構成および機能を備えたサブユニットである。一方、ＰＣユニット２０はいわゆるパーソナルコンピュータとしての構成および機能を備えたサブユニットである。両者が一体化されて一つのＰＣ内蔵テレビ１を構成する。さらに両者は互いに連携して動作することによって、ユーザに対し、これまでにない充実したコンテンツ再生（視聴、閲覧）体験を提供する。
【００２９】
ユーザはリモコン９を使用してＰＣ内蔵テレビ１を操作する。よって、リモコン９さえあれば、ＴＶユニット１０を操作して放送番組を視聴することができる。さらに、同じリモコン９を使用することによって、ＰＣユニット２０を操作して各種のソフトウェアアプリケーションを実行したり、インターネット上のウェブサイトにアクセスしてウェブページを閲覧したりすることができる。
【００３０】
（ＰＣ内蔵テレビ１の要部構成）
ＰＣ内蔵テレビ１の内部構成および機能について、図１を参照して以下に説明する。図１は、本発明の一実施形態に係るＰＣ内蔵テレビ１の要部構成を示すブロック図である。
【００３１】
図１に示すように、ＰＣ内蔵テレビ１のＴＶユニット１０は、映像出力部（表示手段）１１、音声出力部１２、コンテンツ処理部１３、コンテンツ合成部（合成手段）１４、コンテンツ取得部（第１のコンテンツ取得手段、放送波受信手段）１５、コンテンツ受信部（コンテンツ受信手段）１６、ユーザ入力部（入力手段）１７、制御情報通信部（制御情報送信手段）１８、制御部１９および表示情報生成部（生成手段）３０およびを備えている。一方、ＰＣユニット２０は、コンテンツ処理部２１、コンテンツ取得部（第２のコンテンツ取得手段）２２、コンテンツ送信部（コンテンツ送信手段）２３、記憶部（内部記憶装置）２４、制御情報通信部（制御情報受信手段）２５、ユーザ入力部２６、制御部（制御手段）２７およびアプリケーション実行部２８を備えている。
【００３２】
本実施形態に係るＰＣ内蔵テレビ１は、映像（第１のコンテンツ）と、ＰＣユニット２０の機能を表す表示情報とを合成して表示する。具体的には、ＴＶユニット１０は、放送波（テレビ放送）を受信してデコードすることによって、放送番組（第１のコンテンツ）を取得する。また、ＴＶユニット１０では、ＰＣユニット２０の機能を表す表示情報を生成する。
【００３３】
本明細書において「表示情報」とは、ＰＣユニット２０の機能を表す情報が意図され、たとえばアイコン等の静止画像、映像または文字などにより、「ＰＣ機能メニュー」として表示される。ＰＣユニット２０の機能とは、ＰＣユニット２０において実行される機能であれば限定されるものではなく、たとえば検索機能、ゲーム機能または記録再生機能などが挙げられる。
【００３４】
また、ＴＶユニット１０では、少なくとも放送番組内の映像および表示情報を、それぞれが画面上の異なる位置に配置されるように合成して１つの合成映像（合成コンテンツ）を生成し、ディスプレイ（画面）２に出力する。
【００３５】
これにより、ユーザはディスプレイ２上に表示される映像を視聴しながら、ＰＣユニット２０の機能を容易に把握することが可能であり、ディスプレイ上で表示された表示情報を選択することにより、当該表示情報に対応する機能をＰＣユニット２０に実行させることができる。よって、ユーザの使い勝手を向上させることができる。さらに、映像および表示情報を重ならないように表示するため、映像が表示情報によって欠けることない。したがって、表示情報を表示させた場合であっても、ユーザによる映像の視聴に支障を来たすことがなく、快適に視聴することができる。
【００３６】
その後ＴＶユニット１０は、表示された表示情報に対するユーザの選択を受け付けると、選択された表示情報に対応する制御情報をＰＣユニット２０に送信する。一方、ＰＣユニット２０は、ＴＶユニット１０から送信された制御情報に基づき、ウェブページ、動画コンテンツなどのＰＣコンテンツ（第２のコンテンツ）を取得してＴＶユニット１０に提供する。この場合、ＴＶユニット１０は、映像、表示情報およびＰＣコンテンツを合成して１つの合成映像を生成し、ディスプレイ２に出力する。これによりディスプレイ２は当該合成映像を表示する。ディスプレイ２は、たとえば液晶ディスプレイ、プラズマディスプレイまたは有機ＥＬディスプレイとして実現される。
【００３７】
（ＴＶユニット１０の詳細）
次に、ＴＶユニット１０を構成する各ブロックの機能について、さらに説明する。
【００３８】
映像出力部１１は、コンテンツ合成部１４から送られた映像信号をディスプレイ２に出力する。
【００３９】
音声出力部１２は、コンテンツ合成部１４から送られた音声信号をスピーカ３に出力する。
【００４０】
コンテンツ処理部１３は、コンテンツ取得部１５から入力されたコンテンツを処理する。本実施形態では、受信された放送波をデコードして放送番組を生成し、コンテンツ合成部１４に出力する。
【００４１】
コンテンツ合成部１４は、コンテンツ処理部１３から入力された放送番組、および表示情報生成部３０が生成した表示情報を合成して、１つの合成コンテンツを生成する。このとき、コンテンツ合成部１４は放送番組および表示情報を、それぞれが画面上の異なる位置に配置されるように合成する。また、コンテンツ合成部１４が、たとえばコンテンツ受信部１６がＰＣユニット２０から受信したＰＣコンテンツも含めて合成コンテンツを生成する場合、当該ＰＣコンテンツも重ならないように画面上の異なる位置に配置されるように合成すればよい。
【００４２】
コンテンツ取得部１５は、アンテナ４を通じて放送波を受信し、コンテンツ処理部１３に出力する。なお、放送波の受信方法はアンテナ４を通じたものに限定されない。コンテンツ取得部１５は、ケーブルテレビ放送網を通じて放送波を受信することもできる。他にも、インターネット８を通じてＩＰ放送データ（ＩＰ放送波）を受信することもできる。
【００４３】
コンテンツ受信部１６は、ＰＣユニット２０から送信されたＰＣコンテンツを受信し、コンテンツ合成部１４に出力する。
【００４４】
ユーザ入力部１７は、ユーザによるＰＣ内蔵テレビ１に対する入力操作を受け付ける。たとえば、ユーザ入力部１７は表示された表示情報に対する、ユーザの選択を受け付ける。ユーザ入力部１７に対する入力は、たとえばユーザによる入力操作に応じてリモコン９が発した信号を受信すればよい。他にも、ＴＶユニット１０本体へのユーザの直接操作によって発生せられた信号を受信することもできる。さらに、ユーザ入力部１７は、ユーザの操作により、ディスプレイ２上の任意の位置を選択するための選択用オブジェクトが表示情報の表示位置に移動したとき、当該表示情報へのユーザによる入力を受け付けることもできる。ユーザ入力部１７は、このように受信した信号を制御部１９に出力する。
【００４５】
制御情報通信部１８は、ＰＣユニット２０と制御情報をやり取りする。具体的には、ユーザにより選択された表示情報に対応する制御情報を、ＰＣユニット２０の制御情報通信部２５に送信したり、あるいは、制御情報通信部２５から送信された制御情報を受信したりする。ここで制御情報には、たとえば、ＰＣユニット２０またはＴＶユニット１０を操作するための操作情報が含まれる。他にも、取得したコンテンツを他方のユニットに提供すべき旨を規定した情報が含まれる。さらに、コンテンツを取得するためのアクセス情報（リンク情報）が含まれる。
【００４６】
表示情報生成部３０は、ＰＣユニット２０の機能を表す表示情報を生成する。表示情報生成部３０は、たとえばＰＣユニット２０の制御情報通信部２５から取得された情報に基づき、表示情報を生成する。表示情報は、たとえばアイコンまたは文字等のデータによって表される。表示情報生成部３０は、このように生成した表示情報をコンテンツ合成部１４に出力する。
【００４７】
制御部１９は、ＴＶユニット１０を構成する各ブロックを統括制御する。
【００４８】
（ＰＣユニット２０の詳細）
次に、ＰＣユニット２０を構成する各ブロックの機能について、さらに説明する。
【００４９】
コンテンツ処理部２１は、コンテンツ取得部２２が取得したＰＣコンテンツを処理する。
【００５０】
コンテンツ取得部２２は、外部からＰＣコンテンツを取得する。たとえば、記録ディスク（記録メディア）７またはインターネット（通信ネットワーク）８からＰＣコンテンツを取得する。ＰＣコンテンツは、コンピュータによって処理され再生可能なコンテンツのことである。たとえばテキスト、映像、音声、動画等のコンテンツがこれに該当し、さらにこれらの組み合わせからなるマルチメディアコンテンツも該当する。他にも、ウェブページもＰＣコンテンツに含まれる。これらのＰＣコンテンツは各所から取得できる。取得先はたとえばインターネット８上のウェブサイト、ＰＣ内蔵テレビ１に接続された外部装置、および記録ディスク７である。
【００５１】
コンテンツ送信部２３は、コンテンツ処理部２１が処理したコンテンツをコンテンツ受信部１６へ送信する。
【００５２】
記憶部２４は、各種のＰＣコンテンツを記憶する。たとえば、ハードディスクまたはフラッシュメモリ等の不揮発性の記憶装置として実現される。記憶部２４には、ＰＣコンテンツに加えて、アプリケーション実行部２８によって実行される各種のソフトウェアアプリケーションが記憶されている。
【００５３】
制御情報通信部２５は、制御情報通信部１８と制御情報のやり取りをする。具体的には、制御情報をＴＶユニット１０の制御情報通信部１８に送信したり、あるいは、制御情報通信部１８から送信された制御情報を受信したりする。
【００５４】
ユーザ入力部２６は、ユーザによるＰＣ内蔵テレビ１に対する入力操作を受け付ける。具体的には、ユーザによる入力操作に応じて操作装置（本実施形態ではマウス５およびキーボード６）が発した信号を受信し、制御部２７に出力する。当該操作装置の他の例として、トラックボールおよびトラックパッドなどのポインティングデバイス、ならびにジョイスティックも含まれる。
【００５５】
制御部２７は、受信された制御情報に基づき、ＰＣユニット２０における各種動作を制御する。
【００５６】
アプリケーション実行部２８は、制御部２７による制御に従い、記憶部２４に記憶されているソフトウェアアプリケーションを読み出し、実行する。
【００５７】
（ＰＣ内蔵テレビ１の詳細な内部構成）
次に、ＰＣ内蔵テレビ１の詳細な内部構成について、図３を参照して説明する。図３は、本発明の一実施形態に係るＰＣ内蔵テレビ１の詳細な内部構成を示すブロック図である。図１に示す各機能ブロックは、図３に示す各ブロックのいずれかまたはその組み合わせによって、実現される。
【００５８】
ＲＦ（Ｒａｄｉｏ  Ｆｒｅｑｕｅｎｃｙ）受信部１０１は、外部から送られてくる信号を受信する。すなわち、ＲＦ受信部１０１は、たとえば、地上波デジタル放送として無線で送られてくる映像信号等のデジタル放送信号を受け付ける映像信号入力部である。なお、ＲＦ部１０１が受信する信号は、地上波デジタル放送として送られてくる信号に限定されるものではなく、たとえば、一般のアナログ放送、衛星放送、またはケーブルテレビ放送等として送られてくる信号であってもよい。
【００５９】
これらの信号としては、たとえば、デジタル放送の場合はＭＰＧ２またはＭＰＥＧ４等のシステムとしてデジタル化された映像信号が挙げられる。また、ＲＦ受信部１０１に入力される信号は、当該映像信号に限定されるものではなく、たとえば、デジタル化されたオーディオ信号、データ放送、電子番組表情報またはネットワーク情報などのデジタル放送信号（放送波）であってもよい。
【００６０】
デモジュレータ１０２は、ＲＦ受信部１０１に入力されたデジタル放送信号を復調し、デコーダ１０３に送る。
【００６１】
デコーダ１０３は、たとえばＭＰＥＧ２ＴＳなどの復調された信号を、ビデオ成分（信号）とオーディオ成分（信号）とに分解する。また、デコーダ１０３は、分解した信号のうちビデオ信号をデコードし、オーディオ信号をオーディオプロセッサ１０４に送る。このとき、オーディオ信号に付随するデータは、ＣＰＵ１０９に送られ、そこで処理される。
【００６２】
オーディオプロセッサ１０４は、デコーダ１０３から受け取ったオーディオ信号をデコードする。なお、オーディオ信号には多数のフォーマットがあるため、通常、オーディオ信号のデコード処理はオーディオプロセッサ１０４にて行なう。しかしながら、これに限定されるものではなく、デコーダ１０３またはＣＰＵ１０９において、オーディオ信号をデコードしてもよい。処理されたオーディオ信号は、スピーカ１０５に送られる。
【００６３】
スピーカ１０５は、オーディオプロセッサ１０４においてデコードされたオーディオ信号を出力する。なお、本実施形態では、表示部１１２およびスピーカ１０５を備えたテレビの形態を示すが、これに限定されるものではなく、たとえば、ＢＤ（ＢｌｕＲａｙ）レコーダまたはＳＴＢ（Ｓｅｔ  Ｔｏｐ  Ｂｏｘ）などの場合、スピーカ１０５の代わりに、外部機器にオーディオ信号を出力してもよい。
【００６４】
リモコン通信部１０６は、図示しないリモコンからの制御信号を受信する。制御信号を送信するリモコン９としては、たとえば、１方向に信号を送信する赤外線リモコン、または双方向に信号を送信する無線リモコンが挙げられる。リモコン通信部１０６が受信した制御信号は、ＣＰＵ１０９に送られる。
【００６５】
外部入力部１０７は、ＰＣユニット２０の映像出力部２０８から出力された信号を受信する。外部入力部１０７としては、たとえば、ＨＤＭＩ（登録商標）インターフェースまたはＤＶＩ・Ｄ端子などが挙げられる。また、外部入力部１０７が受信する信号は、デコードされたデータまたは圧縮形式のデータ（たとえば、ＭＰＥＧ４等）を含む。
【００６６】
外部入力部１０７が受信したオーディオ信号は、オーディオプロセッサ１０４に出力される。一方、外部入力部１０７が受信した映像信号は、グラフィックメモリ１１０に出力され、展開される。また、たとえば、外部入力部１０７が受信した映像信号が圧縮画像であって場合、受信した映像信号は、デコーダ１０３をいったん経由してグラフィックメモリ１１０に送られる。なお、デコーダ１０３を経由するか否かによって、グラフィックメモリ１１０に出力される映像信号に本質的な差異はない。
【００６７】
メモリ１０８は、プログラムまたはデータを格納するメモリである。
【００６８】
ＣＰＵ１０９は、ＴＶユニット１０全体の制御を行なうＣＰＵである。
【００６９】
グラフィックメモリ１１０は、２つ以上の映像および表示データを保持する。表示データとしては、たとえば、データ放送、およびＯＳＤ（オンスクリーンディスプレイ）データ、および設定メニュー等のデータが挙げられる。グラフィックメモリ１１０は、複数のプレーンからなり、それぞれのプレーンを重ね合わせたり、アルファブレンディングを行なったりすることが可能である。
【００７０】
グラフィックコントローラ１１１は、グラフィックメモリ１１０に保持される映像および表示データを合成し、１画面を作成する。すなわち、グラフィックコントローラ１１１は、ＣＰＵ１０９からの制御に応じて、たとえば、複数のプレーンの拡大縮小または位置設定などを行ない、合成して最終画面を作り出す。この最終画面は、表示部１１２へ送られる。
【００７１】
表示部１１２は、グラフィックコントローラ１１１から受け取った映像を表示する。たとえば液晶パネルなどの表示デバイスに映像を表示してもよいし、外部機器に映像データを出力してもよい。
【００７２】
ＬＡＮ（Ｌｏｃａｌ  Ａｒｅａ  Ｎｅｔｗｏｒｋ）コントローラ１１３は、ネットワークを通じて外部機器と接続する。ＬＡＮコントローラ１１３は、ＤＬＮＡ（Ｄｉｇｉｔａｌ  Ｌｉｖｉｎｇ  Ｎｅｔｗｏｒｋ  Ａｌｌｉａｎｃｅ、登録商標）などのホームネットワーク規格によって他の機器と接続しても、インターネットを通じて映像サービスと接続してもよい。また、外部機器との接続は、有線または無線のどちらでもよい。なお、ＬＡＮコントローラ１１３から取得された映像信号は、特に限定されないが、ＲＦ受信部１０１を通じて取得された映像信号と同様に扱うことが好ましい。
【００７３】
Ｉ／Ｆ部１１４は、ＬＡＮ、ＵＳＢまたはシリアル等を制御するインターフェース部である。Ｉ／Ｆ部１１４では、静止画等を含む制御情報をＰＣユニット２０とやり取りする。なお、Ｉ／Ｆ部１１４における制御情報の送受信方式は、特に限定されない。
【００７４】
電源部１１５は、ＴＶユニット１０における電源回路である。また、電源部２０４は、ＰＣユニット２０における電源回路である。これらの電源部１１５，２０４は、共通の電源３００から電力の供給を受ける。この際、１つのＡＣプラグによって電力の供給を受けることが望ましい。
【００７５】
入力部２０１は、外部からの入力を受け付ける。このように、ＰＣユニット２０は、独自の入力部が存在し得る。入力部２０１としては、たとえば、Ｂｌｕｅｔｏｏｔｈ（登録商標）のワイヤレスキーボードまたはワイヤレスマウス等を利用できることが好ましい。
【００７６】
ＩＯプロセッサ２０２は、各種外部インターフェースを制御する。
【００７７】
ＬＡＮコントローラ２０３は、ＩＰネットワークと接続する。なお、ＬＡＮコントローラ１１３とＬＡＮコントローラ２０３とは、互いに１つのＩＰアドレスを共用することが好ましい。また、ＴＶユニット１０およびＰＣユニット２０において、それぞれ個別のＬＡＮコントローラ１１３，２０３を備えている場合、ＰＣ内蔵のテレビ１の内部においてブリッジ機能を有することが好ましい。これにより、たとえば、有線ＬＡＮを接続する場合に、１つのＬＡＮケーブルを挿すだけで、ＴＶユニット１０およびＰＣユニット２０を同時にネットワークに接続させることができる。
【００７８】
メモリ２０５は、各種制御を行なうＣＰＵ２０６のメモリである。
【００７９】
ＣＰＵ２０６は、ＰＣユニット２０に含まれる各ブロックを統括的に制御する。たとえば、圧縮されたＰＣコンテンツをソフトウェア的にデコードして、元のサイズのＰＣコンテンツに変換する。本実施形態において、ＰＣユニット２０は、ＴＶユニット１０におけるデコーダ１０３のようなハードウェアを備えていない。しかしながら、これに限定されるものではなく、たとえば、ＰＣユニット２０がデコーダ１０３のようなハードウェアを備えていてもよい。
【００８０】
グラフィックコントローラ２０７は、映像描画時のグラフィック処理を高速化する。
【００８１】
映像出力部２０８は、グラフィックコントローラ２０７によって処理された映像信号を、たとえばＨＤＭＩ（登録商標）等の形式によって出力する。なお、オーディオ信号も映像信号と同様に、ＴＶユニット１０に送信される。
【００８２】
記憶部２０９は、インターネット８または記録ディスク７を通じて取得されたＰＣコンテンツを恒久的に記憶する。記憶部２０９としては、たとえば、ハードディスク、ＢＤ（Ｂｌｕ−ｒａｙ（登録商標）  Ｄｉｓｃ）、ＤＶＤ（Ｄｉｇｉｔａｌ  Ｖｉｄｅｏ  Ｄｉｓｃ）またはＵＳＢ（Ｕｎｉｖｅｒｓａｌ  Ｓｅｒｉａｌ  Ｂｕｓ）メモリ等が挙げられる。ＣＰＵ２０６は、ネットワークを経由して取得した映像、または記憶部２０９に記憶されている映像を再生し、ＴＶユニット１０に送信する。
【００８３】
ここで、映像とは、動画に限定されるものではなく、音楽、書籍、写真、スライドショー、ワープロドキュメント、またはゲーム等のアプリケーションが作成する画面が挙げられる。
【００８４】
（ＰＣ内蔵テレビ１の操作方法）
図４の（ａ）は、リモコン９を使用してＰＣ内蔵テレビ１を操作する際の信号伝達の流れを図である。図４の（ｂ）は、入力装置（キーボード６またはマウス５）を使用してＰＣ内蔵テレビ１を操作する際の信号伝達の流れを図である。
【００８５】
上述したように、ユーザは、リモコン９を使用してＴＶユニット１０およびＰＣユニット２０の両方を操作できる。ユーザの入力に応じてリモコン９が発信する信号（操作信号）は、ユーザ入力部１７を経由して制御部１９に入力される。制御部１９は、操作信号を解析することによって、ＴＶユニット１０を操作するための信号か、またはＰＣユニット２０を操作するための信号なのかを判定する。前者だと判定した場合には、操作信号の内容に応じて、ＴＶユニット１０内の各ブロックを制御する。これらの処理の結果、ユーザはリモコン９を使用してＴＶユニット１０を操作できる。
【００８６】
一方、制御部１９は、操作信号がＰＣユニット２０を操作するための信号だと判定した場合には、ＰＣユニット２０を制御するための制御情報を生成し、制御情報通信部１８を通じてＰＣユニット２０に送信する。当該制御情報は制御情報通信部２５を経由してＰＣユニット２０の制御部２７に入力される。ＰＣユニット２０は、入力された制御情報に基づき、ＰＣユニット２０内の各ブロックを制御する。これらの処理の結果、ユーザは、リモコン９を使用してＰＣユニット２０を操作できる。
【００８７】
上述したように、ユーザは、マウス５またはキーボード６（以下、操作装置と総称）を使用して、ＰＣユニット２０およびＴＶユニット１０の両方を操作できる。ユーザの入力に応じて操作装置が発信する信号（操作信号）は、ユーザ入力部２６を経由して制御部２７に入力される。制御部２７は、操作信号を解析することによって、ＰＣユニット２０を操作するための信号か、またはＴＶユニット１０を操作するための信号なのかを判定する。前者だと判定した場合には、操作信号の内容に応じて、ＰＣユニット２０内の各ブロックを制御する。これらの処理の結果、ユーザはマウス５またはキーボード６を使用してＰＣユニット２０を操作できる。
【００８８】
一方、制御部２７は、操作信号がＴＶユニット１０を操作するための信号だと判定した場合には、ＴＶユニット１０を制御するための制御情報を生成し、制御情報通信部２５を通じてＴＶユニット１０に送信する。当該制御情報は制御情報通信部１８を経由してＴＶユニット１０の制御部１９に入力される。制御部１９は、入力された制御情報に基づき、ＴＶユニット１０内の各ブロックを制御する。これらの処理の結果、ユーザは、操作装置（マウス５またはキーボード６）を使用してＴＶユニット１０を操作できる。
【００８９】
以上のように、本実施形態のＰＣ内蔵テレビ１は、１つの操作装置を使用して、まったく異なる機能を持った２つのユニット（ＴＶユニット１０、ＰＣユニット２０）を操作できる。特に、ＰＣユニット２０の操作がリモコン９によって可能になる点は、ユーザにとってのメリットが大きい。マウス５またはキーボード６に比べて、リモコン９の操作は洗練され、直感的で分かりやすいからである。さらに、ＰＣを操作するためのＰＣ機能メニュー（表示情報）がアイコンとして表示されている場合、ユーザはリモコン９によってワンアクションで当該機能を選択することが可能である。
【００９０】
したがって、本実施形態のＰＣ内蔵テレビ１を使用するユーザは、ＰＣユニット２０によって提供される各種のサービス（アプリケーションの実行、ウェブページの閲覧）を、汎用のパーソナルコンピュータを用いる場合よりも手軽に体験できる。
【００９１】
（合成コンテンツの生成）
ＰＣ内蔵テレビ１における合成コンテンツの生成処理の流れについて、図５を参照して説明する。図５は、ＰＣ内蔵テレビ１における映像合成および表示の流れの一例を示す図である。
【００９２】
上述したように、本実施形態に係るＰＣ内蔵テレビ１では、ＴＶユニット１０において、放送番組の映像３１とＰＣユニット２０の機能を表すＰＣ機能メニュー（表示情報）３２とを、それぞれが重ならないように、画面上の異なる位置に配置されるように合成する。なお、本実施形態では、ＰＣ内蔵テレビ１は、映像３１およびＰＣ機能メニュー３２に加えて、ＰＣユニット２０から提供されるＰＣコンテンツの映像３３も重ならないように合成する。
【００９３】
図５に示すように、ＴＶユニット１０のコンテンツ取得部１５は、たとえば放送局からアンテナ４を通じて、放送番組の映像３１を取得する。また、ＴＶユニット１０では、表示情報生成部３０がＰＣユニット２０の機能を表すＰＣ機能メニュー３２を生成する。これら映像３１およびＰＣ機能メニュー３２は、コンテンツ処理部１３を経由してコンテンツ合成部１４に提供される。
【００９４】
一方、ＰＣユニット２０のコンテンツ取得部２２は、たとえばインターネット８または記録ディスク７から、ＰＣコンテンツに含まれる映像３３を取得する。映像３３は、コンテンツ取得部２２、コンテンツ処理部２１、およびコンテンツ送信部２３を経由してＴＶユニット１０に送信される。ＴＶユニット１０では、映像３３がコンテンツ受信部１６を経由してコンテンツ合成部１４に提供される。なお、ＰＣユニット２０には、ＴＶユニット１０から、映像３３をＴＶユニット１０に提供すべきことを規定した制御情報が事前に送信されている。ＰＣユニット２０は、この制御情報の受信に応じて映像３３をＴＶユニット１０に提供する。なお、ＰＣユニット２０は、映像３３に加えて、ＴＶユニット１０から送信された制御情報に対応する関連情報をさらにＴＶユニット１０へ提供することもできる。この場合、ＴＶユニット１０では当該関連情報もさらに表示する。
【００９５】
コンテンツ合成部１４は、入力された映像３１、ＰＣ機能メニュー３２および映像３３を合成して１つの合成映像を生成する。本実施形態ではグラフィックメモリ１１０を利用し、３つのプレーンのそれぞれにデータを書き込む。具体的には、第１のプレーンに映像３１、第２のプレーンに映像３３、ならびに第３のプレーンにＰＣ機能メニュー３２を書き込む。このようにして得た３つのプレーンを合成し、図５に示す１つの合成映像を生成する。
【００９６】
このとき、合成映像における各プレーンの大きさまたは配置は、グラフィックコントローラ１１１によって設定される。具体的には、グラフィックコントローラ１１１はＣＰＵ１０９からの制御に従い、各プレーンの大きさまたは配置を設定する。
【００９７】
各プレーンの大きさまたは配置は、それぞれのプレーンが重ならないように配置される限り限定されないが、たとえば映像３１を拡大縮小するとき、当該映像３１が全画面表示した際と同一のアスペクト比になるように設定されることがより好ましい。これにより、合成コンテンツを生成するときに映像３１の大きさを縮小した場合であっても、元の画像（全画面表示された画像）と同一のアスペクト比に縮小されるため、映像３１の視聴に支障を来たすことがない。
【００９８】
また、生成された合成映像（合成コンテンツ）は、映像出力部１１を経由してディスプレイ２に入力される。これらの処理の結果、ユーザはディスプレイ２を通じて当該合成映像を視認する。
【００９９】
このように、ＰＣ内蔵テレビ１では、映像および表示情報は重ならないように表示されるため、映像が表示情報によって欠けることない。したがって、ユーザは、表示情報によって映像が妨げられることなく、快適に視聴することができる。また、ＴＶコンテンツおよびＰＣコンテンツの映像を同時に表示させることにより、ＴＶユニット１０において取得される放送番組を視聴しながら、ＰＣユニット２０によって取得される映画コンテンツをサブ画面で楽しむ、といったことが可能になる。
【０１００】
（ディスプレイ２に表示される画面の例）
図６は、ディスプレイ２に表示される画面の各例を示す図である。
【０１０１】
図６の（ａ）では、ＴＶ全画面６０のみがディスプレイ２の全面に表示されている。このとき、リモコン９に設けられた「ＰＣボタン」をユーザが押下することにより、図６の（ａ）の画面が図６の（ｂ）のそれに切り替わる。図６の（ｂ）では、ＴＶ主画面６１、ＰＣ機能メニュー６２〜６５、およびＰＣ子画面６６がディスプレイ２に表示されている。ユーザは、ＴＶユニット１０によって再生されるＴＶコンテンツ（放送番組）の視聴を中心にＰＣ内蔵テレビ１を使用する。一方、ＰＣコンテンツは補助的に視聴する。
【０１０２】
図６の（ｂ）の画面が表示されているとき、リモコン９に設けられた「ＰＣボタン」をユーザが押下することにより、図６の（ｂ）の画面が図６の（ｃ）のそれに切り替わる。図６の（ｃ）では、ＴＶ画面の表示位置とＰＣ画面の表示位置とが入れ替わる。具体的には、ＴＶ主画面６１の表示位置にＰＣ主画面６９が表示され、一方、ＰＣ子画面６６の表示位置にＴＶ子画面６８が表示される。これらの処理によって、ユーザは、ＰＣユニット２０の操作および当該操作によって再生されるＰＣコンテンツの視聴を中心にＰＣ内蔵テレビ１を使用する。一方、放送番組は補助的に視聴する。
【０１０３】
図６の（ｃ）の画面が表示されている時、ユーザがＰＣ機能メニュー６２〜６５におけるその他のメニューを選択すれば、図６の（ｄ）に示すように、ＰＣ子画面６８を最大化することもできる。すなわち、ＰＣ全画面６７がディスプレイ２に表示される。なお、ユーザが「ＰＣボタン」を押下した場合も、同様に、図６の（ｄ）の表示に切り替わる。
【０１０４】
（ＰＣコンテンツ表示の切り換えの例）
図７は、ＰＣ内蔵テレビ１が、ＰＣ機能メニューの選択に応じてＰＣ子画面におけるＰＣコンテンツの表示を切り換える様子の一例を示す図である。
【０１０５】
図７の（ａ）では、ディスプレイ２に、ＴＶ主画面６１、ＰＣ機能メニュー７１〜７４、およびＰＣ子画面７５を表示している。ＰＣ子画面７５は、ＰＣ機能メニュー７１〜７４のいずれかを選択した時に表示される。
【０１０６】
つまり、ＰＣ子画面７５は、ユーザがリモコン９を用いてフォーカス（選択用オブジェクト）をＰＣ機能メニュー７１〜７４のいずれかに合わせ、さらにリモコン９に設けられた「決定ボタン」などを押すことによって表示される。
【０１０７】
また、本実施形態に係るＰＣ内蔵テレビ１によれば、当該フォーカスをＰＣ機能メニュー７１〜７４のいずれかに合わせることのみで、ＰＣ子画面７５の表示を直ちに切り換えることができる。たとえば、ユーザがメニュー項目７２を選択した時、図７の（ｂ）に示すように、当該メニュー項目７２に関連するＰＣ子画面７６が直ちに表示される。
【０１０８】
したがって、アイコンまたは文字データ等によって示されるＰＣ機能メニューからはＰＣユニット２０の機能を十分に把握することができない場合であっても、フォーカスを任意のＰＣ機能メニューに移動させるだけで、当該ＰＣ機能メニューに対応するＰＣコンテンツをＰＣ子画面７５に表示させて、当該ＰＣ機能を即時に把握することができる。
【０１０９】
なお、ＰＣ機能メニューのいずれかを選択する選択用オブジェクトとしては、ディスプレイ２上の任意の位置を選択することができるものであれば特に限定されるものではない。
【０１１０】
（ＰＣ機能メニューの選択に応じた処理の例）
本実施形態のＰＣ内蔵テレビ１では、表示情報生成部３０がＰＣユニット２０の機能を表すＨＴＭＬ形式のデータを処理することによって、ＰＣ機能メニューをディスプレイ２に表示する。本実施形態においてこのＰＣ機能メニューは複数表示されており、ＰＣ内蔵テレビ１は、表示されたＰＣ機能メニューの中から選択された項目に対するリンク情報に応じた処理を実行する。この具体例について、図８を参照して以下に説明する。
【０１１１】
図８は、ＰＣ内蔵テレビ１が、ＰＣ機能メニューを示す情報の選択結果に応じて、ＰＣ子画面を表示したりＰＣ子画面の表示位置を変更したりする様子の一例を示す図である。
【０１１２】
図８の（ａ）の例では、ＰＣ内蔵テレビ１は、表示情報生成部３０がメニューデータ８０を処理してＰＣ機能メニューを表示する。
【０１１３】
ここで、メニューデータ８０とは、ＰＣユニット２０の機能に対応するリンク情報が複数保持されたデータが意図され、各リンク情報は、項目名（グルメ、検索、ゲーム等）に個別に対応している。メニューデータ８０には、以下に示すリンク情報８１およびリンク情報８２を含む４つのリンク情報が含まれている。
【０１１４】
ここで、ユーザが「グルメ」項目を選択したとする。このときＰＣ内蔵テレビ１は、当該項目に対応したリンク情報８１を処理する。具体的には、リンク情報（アクセス情報）８１が示すウェブサイト（通信ネットワーク上の外部装置）にアクセスし、サーバが返信してくるウェブページ（第２のコンテンツ）を取得して、ＰＣ子画面８４に表示する。なお、このときＴＶ主画面８３も同時に表示する。
【０１１５】
一方、ユーザが「ゲーム２（サイズ指定）」項目を選択したとする。このときＰＣ内蔵テレビ１は、当該項目に対応したリンク情報８２を処理する。具体的には、リンク情報８２が示すゲームアプリケーションを起動し、このアプリが出力するコンテンツ（第２のコンテンツ）をＰＣ子画面８５に表示する。このとき、リンク情報８２に規定されている表示制御情報を参照して、ＰＣ子画面８５の表示位置およびサイズを決定する。なお、ディスプレイ２にはＴＶ主画面８３も同時に表示する。ＴＶ主画面８３のサイズは、ＴＶ全画面のサイズと同一のアスペクト比となることが好ましく、ディスプレイ２の画面サイズからＰＣ子画面８５のサイズを演算（たとえば減算）して得た値に基づき決定する。
【０１１６】
（画面表示処理の流れの例）
図９は、本発明のＰＣ内蔵テレビ１においてＴＶ全画面およびＰＣ子画面を表示する際の情報処理の流れの一例を示すシーケンス図である。図１０は、図９に示すシーケンス処理によってディスプレイ２に表示される画面の一例を示す図である。
【０１１７】
図９の処理が始まる前の前提として、ＴＶユニット１０は、事前に、放送局から放送波を受信してデコードし、放送番組を取得済みである。また、各種の放送関連情報を、放送波の受信に合わせて随時受信している。放送関連情報としては、たとえばデータ放送、電子番組表、字幕、クローズドキャプション、ネットワークからの情報、現在視聴しているチャネルを表す情報、ユーザの居住地域を表す情報などがある。
【０１１８】
図９のシーケンスでは、まずＴＶユニット１０がＴＶ主画面６１を表示する（ステップＳ１）。次にユーザがリモコン９を用いてＰＣ表示コマンドを入力する（ステップＳ２）。この入力に基づきＴＶユニット１０はメニュー情報をＰＣユニット２０にリクエストする（ステップＳ３）。ＰＣユニット２０は受信したリクエストをサービスサーバ（外部装置）に転送する（ステップＳ４）。サービスサーバはメニュー情報をＰＣ内蔵テレビ１に送信し、これをＰＣユニット２０が受信する（ステップＳ５）。ＰＣユニット２０は受信したメニュー情報をＴＶユニット１０に転送する（ステップＳ６）。ＴＶユニット１０は、受信したメニュー情報を処理して、メニュー６２〜６５をディスプレイ２に表示する（ステップＳ７）。さらに、ＰＣ子画面６６を表示する（ステップＳ８）。
【０１１９】
ユーザは、リモコン９を用いてメニュー項目のいずれかを選択する（ステップＳ９）。ＴＶユニット１０は、選択されたメニュー項目を表す選択情報をＰＣユニット２０に送信する（ステップＳ１０）。ＰＣユニット２０は、受信した選択情報によって特定されるソフトウェアアプリケーションを実行する（ステップＳ１１）。この実行時にアプリケーションが生成した映像をＴＶユニット１０に送信する。なお、ＰＣユニット２０は、アクセス履歴、購買履歴、コンテンツ視聴履歴、アクセス時刻、アクセス時間等の各種ＰＣコンテンツ情報も、ＴＶユニット１０に送信する。ＴＶユニット１０は、受信した映像をＰＣ子画面７５に表示する。結果、ＰＣ子画面７５の表示が変化する（ステップＳ１２）。
【０１２０】
このときＴＶユニット１０は、放送コンテンツ関連情報および受信したＰＣコンテンツ情報を使用して、これら２つの情報に基づく表示情報を生成し、メニュー項目６２〜６５のいずれかに表示してもよい。図１０の例ではメニュー項目６５がその例である。すなわちＰＣ内蔵テレビ１は、放送関連情報およびＰＣコンテンツ関連情報を用いて、表示メニューを適応的に切り換える。なお、このような適応的なメニューの生成は、ＴＶユニット１０に限らずＰＣユニット２０またはサービスサーバが実行することもできる。この場合、ＴＶユニット１０は生成されたメニューをＰＣユニット２０から取得しディスプレイ２に表示する。
【０１２１】
以上に説明したほか、ＰＣ内蔵テレビ１には次のような様々な工夫が可能である。
【０１２２】
（メニュー表示の工夫）
ＰＣ内蔵テレビ１では、カテゴリの分類および操作を直感的に分かり易くする。これにより、コンピュータの初心者であっても、ＰＣ内蔵テレビ１を簡単に操作することができる。ポータルウェブサイトを踏襲したカテゴリに対応したメニュー項目を一覧にして表示する。これによりユーザは、普段使用しているコンピュータと同じ操作によって、同様にメニュー項目を選択できる。
【０１２３】
ＰＣ内蔵テレビ１は、フォーカス中のメニュー項目に応じたコンテンツをＰＣ子画面に表示する。そのためユーザがコンテンツを選択するたびに、ＰＣ子画面に表示されている映像が切り換わる。結果、ユーザは直感的にコンテンツを選択できる。なお、初期設定として、ユーザにとって魅力的なウェブサイトを予め用意しておくことが好ましい。
【０１２４】
さらにＰＣ内蔵テレビ１にはカテゴリの一種として「便利機能」というメニュー項目がある。ユーザは、使用頻度の高いソフトウェアアプリケーションを当該便利機能に登録できる。なお、ＴＶ画面に表示されるメニュー項目の表示順位は、コンテンツプロバイダーに応じて変更してもよい。さらに、表示順位に応じて決まる掲載料金を、コンテンツプロバイダーから徴収するビジネスも可能になる。
【０１２５】
ＰＣ内蔵テレビ１は、ディスプレイ２にたとえばユーザがよく利用するウェブサイトへのリンクをカテゴリ別に分類して項目として易く表示する。この結果、インターネット８上のウェブサイトへアクセスする際の入り口として、ＰＣ機能メニューを活用できる。ユーザは、ＰＣ主画面６９に切り換える設定等をすることなく、ＴＶ主画面６１を通じて放送番組を視聴中に、この入り口（ＰＣ機能メニュー）から項目を選択することによって、インターネットに直接アクセスできる。これらの工夫によって本発明は、コンピュータの初心者から上級者に至るまで、ＰＣ内蔵テレビ１に対する購入意欲を高めることができる。
【０１２６】
メニュー項目の具体例として、検索ウェブサイト、ウェブログ、ＳＮＳ（Ｓｏｃｉａｌ
Ｎｅｔｗｏｒｋｉｎｇ  Ｓｅｒｖｉｃｅ）、一般情報（たとえば、ニュース、天気、交通情報または路線案内）、暮らしの情報（たとえば、病気、地域情報または子育て）、食べ物（たとえば、飲食店またはレシピ集）、学習（たとえば、辞書または子供の教育）、趣味（たとえば、株、旅行、ショッピングまたはファッション）、または娯楽（たとえば、ゲーム、動画ウェブサイトまたは音楽ダウンロードウェブサイト）などが挙げられる。
【０１２７】
ユーザは、次の手順によって、上述したカテゴリごとのウェブサイトに接続できる。まず、画面上に表示されたカテゴリ別のＰＣ機能メニューの中から、所望のカテゴリに関するメニュー項目を選択する。次に、選択した項目のカテゴリに属するウェブサイトのＵＲＬリストが表示されるので、当該ＵＲＬリストの中から所望のウェブサイトを選択する。具体的には、画面上にＴＶ主画面、複数のメニュー項目、およびＰＣ子画面が表示されているとき、ユーザがリモコン操作によって所望のカテゴリのメニュー項目を選択する。その後、たとえばＰＣ主画面を表示するように選択すれば、画面上ではＰＣ画面が大きくなり、インターネット視聴用に切り換わる。
【０１２８】
（利用サービスの多様性）
ＰＣ内蔵テレビ１のユーザは、従来の汎用コンピュータによって利用可能なインターネットサービスを、全てＰＣ内蔵テレビ１においても利用できる。完全なコンピュータとして機能し、ＴＶユニット１０と連携して動作するＰＣユニット２０が、ＰＣ内蔵テレビ１に備えられているからである。したがってＰＣ内蔵テレビ１は、従来のように限られたインターネットサービスしか利用できないネットテレビに比べて、その活用範囲は遥かに広い。
【０１２９】
（大画面化による利点）
ディスプレイ２にＰＣ全画面を表示した場合、ユーザは、ＰＣユニット２０をマウス５またはキーボード６を使用して操作できる。ディスプレイ２を大画面としたＰＣ内蔵テレビ１では、ユーザは、ＰＣコンテンツを大画面かつ高画質のディスプレイ２を通じて楽しむことができる。従来のコンピュータではこのような用途のためにはＰＣ本体の他に別途大画面のディスプレイを用意する必要があった。しかしＰＣ内蔵テレビ１はこれ一台で、コンピュータも大いに活用するパワーユーザの要望をも満たすことができる。特にＰＣユニット２０はコンピュータであるため各種の周辺機器と連携して機能を柔軟に追加することが可能であり、こうした機能追加によって得られる利点を、大画面かつ高画質の表示を通じてユーザに実感させることができる。
【０１３０】
（電源の連動）
ユーザは、ＰＣユニット２０を起動するための煩雑な操作をしなくてもよい。ＰＣ内蔵テレビ１において、ＴＶユニット１０の電源と、ＰＣユニット２０の電源とが連動するからである。すなわち、ＴＶユニット１０ａの電源を入れると同時にＰＣの電源も入る。ＴＶユニット１０の起動完了後、ユーザは直ちに放送番組の視聴が可能になる。一方、その後もＰＣユニット２０の起動処理は続く。ＴＶユニット１０よりもＰＣユニット２０の方が、起動の完了に要する時間が長いからである。ユーザは、ＰＣユニット２０の起動完了まで無用にまたせることなく、放送番組を楽しめる。また、ＰＣユニット２０の起動完了後は、リモコン９による簡単な操作によって、いつでもＰＣユニット２０を操作できる。
【０１３１】
（設置の容易性）
ＴＶユニット１０およびＰＣユニット２０が一体化されているため、ユーザはＰＣ内蔵テレビ１を簡単に設置できる。ＴＶユニット１０のディスプレイ２にＬＥＤバックライト採用してもよい。これにより、ＴＶユニット１０の軽量化および薄型化が可能になるため、ＰＣ内蔵テレビ１の設置方向を縦横のいずれにも自由にできる。
【０１３２】
（ＰＣ内蔵テレビ１の販売）
ＰＣ内蔵テレビ１の外観は、通常のテレビジョン装置のそれに酷似している。したがって、販売店はＰＣ内蔵テレビ１をコンピュータ売り場ではなくテレビ売り場に置く。販売員は、ＰＣ内蔵テレビ１を見込み客に売り込むときに、簡単な操作でコンピュータも利用できることを訴求できる。結果、コンピュータ売り場は行かないがテレビの売り場なら行くような顧客、すなわちコンピュータは苦手だがテレビは使える一般的なユーザに対し、ＰＣ内蔵テレビ１への購入意欲を高めさせることができる。ＰＣ内蔵テレビ１はコンピュータも使えるという付加価値を有しており、その分単価を高く設定でき、利益率も高い。したがって、ＰＣ内蔵テレビ１の製造会社も、販売店もより高い利益をＰＣ内蔵テレビ１によって得られる。
【０１３３】
（消費電力の表示）
ＰＣ内蔵テレビ１は、自身の消費電力に関する情報を取得し、表示用の情報に変換して、ディスプレイ２に表示してもよい。
【０１３４】
〔実施形態２〕
本発明に係る第の実施形態について、図１１および図１２を参照して以下に説明する。なお、上述した第１の実施形態と共通する各部材には同じ符号を付し、詳細な説明を省略する。
【０１３５】
（ＰＣ内蔵テレビ１ａの外観例）
図１１の（ａ）は、着脱可能なＰＣユニット２０ａがＴＶユニット１０ａに装着された後のＰＣ内蔵テレビ１ａを表示画面側から見た場合の外観を示す図である。図１１の（ｂ）は、着脱可能なＰＣユニット２０ａがＴＶユニット１０ａに装着される前のＰＣ内蔵テレビ１ａを背面側から見た場合の外観を示す図である。
【０１３６】
この図に示すように、本実施形態のＰＣ内蔵テレビ１ａは、ＴＶユニット１０ａおよびＰＣユニット２０ａによって構成されている。この点において、第１の実施形態に係るＰＣ内蔵テレビ１と何ら変わりはない。しかし本実施形態のＰＣ内蔵テレビ１ａでは、ＰＣユニット２０ａがＰＣ内蔵テレビ１ａから着脱可能である。したがって、ＰＣ内蔵テレビ１の拡張性および保守性を高めることができる。なお、装着を解除した後、ＴＶユニット１０ａもＰＣユニット２０ａもそれぞれ単独で利用できる。
【０１３７】
ＰＣユニット２０ａには、図１１の（ａ）に示すように、複数の外部端子１５０〜１５２が設けられている。具体的にはイーサネット（登録商標）端子１５０、ＵＳＢ端子１５１、および映像／音声入出力端子１５２である。また、図１１の（ｂ）に示すように、ＰＣユニット２０ａには、ＴＶユニット１０ａと信号をやり取りするための外部端子１５３〜１５５も設けられている。具体的には、映像信号（ＨＤＭＩ（登録商標）信号を含むＳＤＶＯ：Ｓｅｒｉａｌ  Ｄｉｇｉｔａｌ  Ｖｉｄｅｏ  ＯｕｔＰｕｔ）端子１５３、制御信号端子１５４、および電源端子１５５である。これらの端子があることによって、ＰＣユニット２０ａとＴＶユニット１０ａとの間で、映像信号、制御信号、および電源信号を互いに送受信できる。なお、これらに加えて音声信号端子を設け、音声信号を互いに送受信することも当然に可能である。
【０１３８】
ＰＣユニット２０ａは単体で動作可能であり、製品として成り立つ。回路および配線はＰＣユニット２０ａの内部に全て収められ、外部には一切むき出しにされていない。ＴＶユニット１０ａも同様である。したがって両者の接続時に配線の手間が一切不要である。結果、ユーザは簡便な手順によってＰＣユニット２０ａをＴＶユニット１０ａに装着できる。すなわち、ＰＣユニット２０ａをその装着位置にただ差し込めば良いのである。
【０１３９】
ＰＣ内蔵テレビ１から外したＰＣユニット２０ａは、周辺機器に接続させることによって、様々な用途に活用できる。たとえば、モニタと接続可能なクレードルに、取り外したＰＣユニット２０ａを装着する。こうすれば、ＰＣユニット２０ａをデスクトップコンピュータとして使用できる。なお、ＰＣユニット２０ａとクレードルとを接続する端子としては、他にもイーサネット（登録商標）端子、およびシリアルポート端子を利用できる。
【０１４０】
（ＰＣ内蔵テレビ１ａの要部構成）
図１２は、本発明の一実施形態に係るＰＣ内蔵テレビ１の要部構成を示すブロック図である。この図に示すように、ＴＶユニット１０ａのコンテンツ取得部１５は、アンテナ４を通じての他、記録ディスク７からも、インターネット８を通じてからも、また外部機器（外部記憶装置）１６０からも、再生対象のコンテンツを取得できる。すなわち、本実施形態のＴＶユニット１０ａが処理するコンテンツは、放送番組に限らず、たとえばテキスト、映像、音声、動画等のコンテンツも該当し、さらにこれらの組み合わせからなるマルチメディアコンテンツも該当する。他にも、ウェブページも含まれる。
【０１４１】
以上のように、ＰＣユニット２０ａは周辺機器を活用した拡張性を有しており、従来の汎用コンピュータに比べて活用の幅が広い。また、仮にＰＣユニット２０ａをＴＶユニット１０ａから離脱させた状態でも、あるいはＰＣユニット２０ａが故障した場合でも、ＴＶユニット１０ａ単独で、放送番組および各種のコンテンツを外部から取得できる。
【０１４２】
〔実施形態３〕
本発明に係る第３の実施形態について、図１３を参照して以下に説明する。なお、上述した第１および第２の実施形態と共通する各部材には同じ符号を付し、詳細な説明を省略する。
【０１４３】
本実施形態では、本発明はＢＤ内蔵テレビ１ｂとして実現される。ここで「ＢＤ」とはＢｌｕ−ｒａｙ（ブルーレイ、登録商標）録画再生機器のことである。ＢＤ内蔵テレビ１ｂは、放送番組の再生および記録ディスク７への録画、ならびにブルーレイコンテンツの再生が可能な装置である。
【０１４４】
（ＢＤ内蔵テレビの外観例）
図１３は、着脱可能なＢＤユニット２０ｂ（第２のユニット）がＴＶユニット１０ａに装着された後のＢＤ内蔵テレビ１ｂの外観例を示す図である。ＢＤユニット２０ｂはブルーレイ録画再生装置としての構成および機能を有しており、それ単体でも動作するユニットである。本実施形態では、ＰＣユニット２０ａの装着が可能なＴＶユニット１０ａに、ＢＤユニット２０ｂを装着して１つのＢＤ内蔵テレビ１ｂを構成する。すなわち、ＴＶユニット１０ａの装着スロットにはＰＣユニット２０ａもＢＤユニット２０ｂもそれぞれが着脱式で装着可能になっている。また、これらのユニット以外にも、たとえばＤＶＤレコーダとしての構成および機能を有するＤＶＤユニットも、ＴＶユニット１０ａに装着可能である。
【０１４５】
ＴＶユニット１０ａは、装着されたＢＤ内蔵テレビ１ｂと連携して動作する。したがって、ユーザはリモコン９を使用してＴＶユニット１０ａもＢＤユニット２０ｂも操作できる。すなわち、放送番組の視聴、放送番組の記録ディスク７への録画、記録ディスク７に録画されたコンテンツの再生は、１つのリモコン９によっていずれも可能である。
【０１４６】
なお、ＢＤユニット２０ｂは、第１の実施形態に係るＴＶユニット１０に支持される形で装着されることもできる。この場合、たとえばＵＳＢ２．０の規格に従った端子間での接続が可能である。
【０１４７】
（付記事項）
なお、本発明は上述した各実施形態に限定されるものではない。当業者は、請求項に示した範囲内において、本発明をいろいろと変更できる。すなわち、請求項に示した範囲内において、適宜変更された技術的手段を組み合わせれば、新たな実施形態が得られる。
【０１４８】
本発明の表示装置は、第１のユニットおよび複数の第２のユニットによって構成されていても良い。第２のユニットは、汎用コンピュータ、ブルーレイ再生（録画）機器、ＤＶＤ再生（録画）機器、およびハードディスクレコーダのいずれかとして実現され得る。これらのうち任意の複数の第２のユニットと、第１のユニットとを組み合わせて、１つの表示装置を構成する。結果、たとえば１つの表示装置が２つのＰＣユニット２０を備えている構成、ならびに、１つの表示装置が１つのＰＣユニット２０ａおよび１つのＢＤユニット２０ｂを備えている構成は、いずれも本発明の範疇に含まれる。如何なる第２のユニットも、第１のユニットから着脱可能とすることもできるし、または、第１のユニットの筐体本体に内蔵することもできる。
【０１４９】
ＰＣユニット２０ａがＴＶユニット１０ａの筐体本体に内蔵された構成のＰＣ内蔵テレビ１も、実現可能である。この場合、ＰＣユニット２０ａはＴＶユニット１０ａの内部に完全に隠されている。したがって、ＰＣユニット２０ａを外部環境から守ることができる。なお、ユーザは、ＰＣユニット２０ａをＴＶユニット１０ａの内部から取り出して、別のＰＣユニット２０ａに交換することができる。
【０１５０】
（プログラムおよび記録媒体）
最後に、ＰＣ内蔵テレビ１に含まれている各ブロックは、ハードウェアロジックによって構成すればよい。または、次のように、ＣＰＵ（Ｃｅｎｔｒａｌ  Ｐｒｏｃｅｓｓｉｎｇ  Ｕｎｉｔ）を用いてソフトウェアによって実現してもよい。
【０１５１】
すなわちＰＣ内蔵テレビ１は、各機能を実現するプログラムの命令を実行するＣＰＵ、このプログラムを格納したＲＯＭ（Ｒｅａｄ  Ｏｎｌｙ  Ｍｅｍｏｒｙ）、上記プログラムを実行可能な形式に展開するＲＡＭ（Ｒａｎｄｏｍ  Ａｃｃｅｓｓ  Ｍｅｍｏｒｙ）、および、上記プログラムおよび各種データを格納するメモリ等の記憶装置（記録媒体）を備えている。この構成により、本発明の目的は、所定の記録媒体によっても、達成できる。
【０１５２】
この記録媒体は、上述した機能を実現するソフトウェアであるＰＣ内蔵テレビ１のプログラムのプログラムコード（実行形式プログラム、中間コードプログラム、ソースプログラム）をコンピュータで読み取り可能に記録していればよい。ＰＣ内蔵テレビ１に、この記録媒体を供給する。これにより、コンピュータとしてのＰＣ内蔵テレビ１（またはＣＰＵやＭＰＵ）が、供給された記録媒体に記録されているプログラムコードを読み出し、実行すればよい。
【０１５３】
プログラムコードをＰＣ内蔵テレビ１に供給する記録媒体は、特定の構造または種類のものに限定されない。すなわちこの記録媒体は、たとえば、磁気テープやカセットテープ等のテープ系、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ（登録商標）／フラッシュＲＯＭ等の半導体メモリ系などとすることができる。
【０１５４】
また、ＰＣ内蔵テレビ１を通信ネットワークと接続可能に構成しても、本発明の目的を達成できる。この場合、上記のプログラムコードを、通信ネットワークを介してＰＣ内蔵テレビ１に供給する。この通信ネットワークはＰＣ内蔵テレビ１にプログラムコードを供給できるものであればよく、特定の種類または形態に限定されない。たとえばインターネット、イントラネット、エキストラネット、ＬＡＮ、ＩＳＤＮ、ＶＡＮ、ＣＡＴＶ通信網、仮想専用網（Ｖｉｒｔｕａｌ  Ｐｒｉｖａｔｅ  Ｎｅｔｗｏｒｋ）、電話回線網、移動体通信網、衛星通信網等であればよい。
【０１５５】
この通信ネットワークを構成する伝送媒体も、プログラムコードを伝送可能な任意の媒体であればよく、特定の構成または種類のものに限定されない。たとえばＩＥＥＥ１３９４、ＵＳＢ（Ｕｎｉｖｅｒｓａｌ  Ｓｅｒｉａｌ  Ｂｕｓ）、電力線搬送、ケーブルＴＶ回線、電話線、ＡＤＳＬ（Ａｓｙｍｍｅｔｒｉｃ  Ｄｉｇｉｔａｌ  Ｓｕｂｓｃｒｉｂｅｒ  Ｌｉｎｅ）回線等の有線でも、ＩｒＤＡやリモコンのような赤外線、Ｂｌｕｅｔｏｏｔｈ（登録商標）、８０２．１１無線、ＨＤＲ、携帯電話網、衛星回線、地上波デジタル網等の無線でも利用可能である。なお本発明は、上記プログラムコードが電子的な伝送で具現化された、搬送波に埋め込まれたコンピュータデータ信号の形態でも実現され得る。
【０１５６】
本発明に係る表示装置は、上記の課題を解決するために、
第１のコンテンツを処理する第１のユニットと、上記第１のユニットから制御を受け付ける第２のユニットとを備えた表示装置であって、
上記第１のユニットは、
上記第２のユニットの機能を表す表示情報を生成する生成手段と、
上記第１のコンテンツおよび上記表示情報を、それぞれが画面上の異なる領域に配置されるように合成することによって、合成コンテンツを生成する合成手段と、
上記画面上に上記合成コンテンツを表示する表示手段と、
表示された上記表示情報に対する、ユーザの選択を受け付ける入力手段と、
選択された上記表示情報に対応する制御情報を、上記第２のユニットに送信する制御情報送信手段とを備え、
上記第２のユニットは、
上記第１のユニットから送信された上記制御情報を受信する制御情報受信手段と、
受信された上記制御情報に基づき、上記第２のユニットにおける動作を制御する制御手段とを備えることを特徴としている。
【０１５７】
上記の構成によれば、本発明に係る表示装置は、第１のコンテンツを処理する第１のユニットと、当該第１のユニットから制御を受け付ける第２のユニットとを備えており、第１のユニットにおいて、第１のコンテンツ、および第２のユニットの機能を表す表示情報を合成して表示する。
【０１５８】
具体的には、第１のユニットは、第１のコンテンツおよび当該表示情報を合成して合成コンテンツを生成し、表示する。また、第１のユニットは、表示された表示情報に対するユーザの選択を受け付けると、選択された表示情報に対応する制御情報を第２のユニットに送信する。一方、第２のユニットは、第１のユニットから送信された制御情報を受信すると、この制御情報に基づき、動作を実行する。
【０１５９】
本明細書において「表示情報」とは、第２のユニットの機能を表す情報が意図され、たとえば静止画像、映像または文字により表示される情報を含む。また、第２のユニットの機能とは、特に限定されるものではなく、たとえば検索機能、ゲーム機能または記録再生機能などが挙げられる。
【０１６０】
また、本発明に係る表示装置では、当該第１のコンテンツおよび表示情報を、画面上の異なる領域に配置されるように合成して合成コンテンツを生成し、当該合成コンテンツを表示する。
【０１６１】
したがって、ユーザが表示装置において第１のコンテンツを視聴しながら、第２のユニットの機能を容易に把握し、選択することができるため、ユーザの使い勝手を向上させることができる。さらに、第１のコンテンツおよび表示情報は重ならないように表示されるため、第１のコンテンツが表示情報によって欠けることない。したがって、表示装置内の機能に関する情報を表示させた場合であっても、ユーザによる映像の視聴に支障を来たすことがない。
【０１６２】
（第２のユニット＝ＰＣ）
また、本発明に係る表示装置では、さらに、
上記第２のユニットは、
上記制御手段による制御に従い、ソフトウェアアプリケーションを実行する実行手段と、
上記ソフトウェアアプリケーションの実行時に生成されるコンテンツを、第２のコンテンツとして取得する第２のコンテンツ取得手段と、
取得された上記第２のコンテンツを上記第１のユニットに送信するコンテンツ送信手段とをさらに備え、
上記第１のユニットは、
上記コンテンツ送信手段から送信された上記第２のコンテンツを受信するコンテンツ受信手段をさらに備え、
上記合成手段は、上記第１のコンテンツ、上記第２のコンテンツおよび上記表示情報を合成することが好ましい。
【０１６３】
上記の構成によれば、第２のユニットが汎用コンピュータとしての機能を有する。このため、表示装置を、コンピュータ機能を有する装置として実現できる。
【０１６４】
（第２のコンテンツの表示切り換え）
また、本発明に係る表示装置では、さらに、
上記入力手段は、上記画面上の任意の位置を選択するための選択用オブジェクトが上記表示情報の表示位置に移動したとき、当該表示情報への上記ユーザによる入力を受け付けることが好ましい。
【０１６５】
上記の構成によれば、第２のコンテンツが画面上に表示されている場合、選択用オブジェクトを任意の表示情報の表示位置に移動させるだけで、当該第２のユニットの機能内容が表示される。よって、表示された表示情報から第２のユニットの機能を十分に把握することができない場合、当該選択用オブジェクトを表示位置に移動させるだけで、表示情報に対応する第２のユニットの機能を把握することができる。
【０１６６】
（コンテンツの合成）
また、本発明に係る表示装置では、さらに、
上記合成手段は、上記合成コンテンツを生成するとき、上記第１のコンテンツを上記画面と同一のアスペクト比になるように合成することが好ましい。
【０１６７】
上記の構成によれば、合成コンテンツを生成するときに第１のコンテンツの大きさを縮小した場合であっても、元の画像と同一のアスペクト比に縮小されるため、第１のコンテンツの視聴に支障を来たすことがない。
【０１６８】
（第１のコンテンツの取得源）
また、本発明に係る表示装置では、さらに、
上記第１のユニットは、
放送波、通信ネットワーク、外部記憶装置、内部記憶装置および記録メディアの少なくともいずれかを通じて、上記第１のコンテンツを取得する第１のコンテンツ取得手段をさらに備えていることが好ましい。
【０１６９】
上記の構成によれば、第１のユニットは様々な取得先から第１のコンテンツを取得することができる。
【０１７０】
（第１のユニット＝ＴＶ）
また、本発明に係る表示装置では、さらに、
上記第１のユニットは、
上記放送波を受信する放送波受信手段をさらに備え、
上記第１のコンテンツ取得手段は、受信された上記放送波をデコードして上記第１のコンテンツを取得することが好ましい。
【０１７１】
上記の構成によれば、第１のユニットは放送番組を再生できる。したがって、本発明に係る表示装置をテレビ装置の一種として実現することができる。
【０１７２】
（第２のコンテンツの取得源）
また、本発明に係る表示装置では、
上記第２のコンテンツ取得手段は、さらに、通信ネットワーク、外部記憶装置、内部記憶装置および記録メディアの少なくともいずれかを通じて、上記第２のコンテンツを取得することが好ましい。
【０１７３】
上記の構成によれば、表示装置は多種多様なコンテンツを再生できる。
【０１７４】
（アクセス情報に基づく第２のコンテンツの取得）
また、本発明に係る表示装置では、さらに、
上記制御情報は、上記通信ネットワーク内の上記外部記憶装置における上記第２のコンテンツへのアクセス情報を含んでおり、
上記第２のコンテンツ取得手段は、上記アクセス情報に基づき上記第２のコンテンツを上記外部記憶装置から取得することが好ましい。
【０１７５】
上記の構成によれば、第２のユニットにおける第２のコンテンツの取得を、第１のユニットを操作することによって実現できる。
【０１７６】
（第２のユニットは着脱可能）
また、本発明に係る表示装置では、さらに、
上記第２のユニットは、上記第１のユニットから着脱可能であることが好ましい。
【０１７７】
上記の構成によれば、表示装置の拡張性および保守性をより高めることができる。
【０１７８】
（第２のユニットは内蔵）
また、本発明に係る表示装置では、さらに、
上記第２のユニットは、上記第１のユニットの筐体本体に内蔵されていることが好ましい。
【０１７９】
上記の構成によれば、第２のユニットを外部環境から守ることができる。
【０１８０】
（表示手段の表示先）
また、本発明に係る表示装置では、さらに、
上記表示手段は、上記合成コンテンツを液晶ディスプレイ、プラズマディスプレイまたはＥＬ（エレクトロルミネセンス）ディスプレイに表示させることが好ましい。
【０１８１】
上記の構成によれば、第１のユニットにおいて生成された合成コンテンツを多種多様なディスプレイに表示できる。
【０１８２】
（プログラム、記録媒体）
なお、本発明に係る表示装置は、コンピュータによって実現してもよい。この場合、コンピュータを上記各手段として動作させることにより本発明に係る表示装置をコンピュータにおいて実現するプログラム、およびそのプログラムを記録したコンピュータ読み取り可能な記録媒体も、本発明の範疇に入る。
【０１８３】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【産業上の利用可能性】
【０１８４】
本発明は、コンピュータを内蔵したテレビジョン装置として幅広く利用することができる。
【符号の説明】
【０１８５】
１      ＰＣ内蔵テレビ（表示装置）
１ａ    ＰＣ内蔵テレビ（表示装置）
１ｂ    ＢＤ内蔵テレビ（表示装置）
２      ディスプレイ
３      スピーカ
４      アンテナ
５      マウス
６      キーボード
７      記録ディスク（記録メディア）
８      インターネット（通信ネットワーク）
９      リモコン
１０    ＴＶユニット（第１のユニット）
１０ａ  ＴＶユニット（第１のユニット）
１１    映像出力部（コンテンツ再生手段）
１２    音声出力部（コンテンツ再生手段）
１３    コンテンツ処理部（コンテンツ再生手段）
１４    コンテンツ合成部（コンテンツ合成手段）
１５    コンテンツ取得部（第１のコンテンツ取得手段、放送波受信手段）
１６    コンテンツ受信部（コンテンツ受信手段）
１７    ユーザ入力部（入力手段）
１８    制御情報通信部（制御情報送信手段）
１９    制御部
３０    表示情報生成部（表示情報生成手段）
２０    ＰＣユニット（第２のユニット）
２０ａ  ＰＣユニット（第２のユニット）
２０ｂ  ＢＤユニット（第２のユニット）
２１    コンテンツ処理部
２２    コンテンツ取得部（第２のコンテンツ取得手段）
２３    コンテンツ送信部（コンテンツ送信手段）
２４    記憶部（内部記憶装置）
２５    制御情報通信部（制御情報受信手段）
２６    ユーザ入力部
２７    制御部（制御手段）
２８    アプリケーション実行部
【図１】
0005957065.tif 000002
【図２】
0005957065.tif 000003
【図３】
0005957065.tif 000004
【図４】
0005957065.tif 000005
【図５】
0005957065.tif 000006
【図６】
0005957065.tif 000007
【図７】
0005957065.tif 000008
【図８】
0005957065.tif 000009
【図９】
0005957065.tif 000010
【図１０】
0005957065.tif 000011
【図１１】
0005957065.tif 000012
【図１２】
0005957065.tif 000013
【図１３】
0005957065.tif 000014